(57)【要約】【課題】  消費電力の少ない照明器具を提供する。【解決回路】  照明灯４と該照明灯４の電源８，９との間に震度センサー７を備えた制御装置６を設け、震度センサー７に連動して照明灯４を点灯させる照明器具において、照明灯４をＬＥＤにより形成する。制御装置６には震度センサー７に応動して照明灯４を点滅、減光或いは増光させる光調節回路を設ける。照明に伴う消費電力の軽減を図り、非常時の照明を比較的長時間確保することができる。また、通常点灯と異ならせて地震などを光の変化で知らせることができる。【選択図】図１
0003108695.tif 000002
【実用新案登録請求の範囲】
【請求項１】
照明灯と該照明灯の電源との間に震度センサーを備えた制御装置を設け、前記震度センサーに連動して前記照明灯を点灯させる照明器具において、前記照明灯をＬＥＤにより形成することを特徴とする照明器具。
【請求項２】
前記電源を内蔵電池により形成することを特徴とする請求項１記載の照明器具。
【請求項３】
前記電源を選択的に接続される前記内蔵電池及び商用電源としたことを特徴とする請求項２記載の照明器具。
【請求項４】
前記制御装置に操作スイッチを備え、該操作スイッチは電灯電源オフ切り替え部、電灯電源オン切り替え部、及び前記震度センサーに連動して前記照明灯を点灯させる自動点灯切り替え部を備えることを特徴とする請求項１〜３のいずれか１項に記載の照明器具。
【請求項５】
設置用ベースに前記震度センサーを設けると共に、前記ベースに立設した支柱を介して前記照明灯を設けたことを特徴とする請求項１〜４のいずれか１項に記載の照明器具。
【請求項６】
前記制御装置に前記震度センサーに応動して前記照明灯を点滅、減光或いは増光させる光調節回路を設けたことを特徴とする請求項１記載の照明器具。
【請求項７】
前記制御装置に前記操作スイッチを自動点灯に設定すると前記照明灯が作動確認用点灯する作動確認用点灯回路を設けることを特徴とする請求項４記載の照明器具。
【請求項８】
前記制御装置に前記照明灯が所定時間後に自動消灯する消し忘れ防止回路を設けることを特徴とする請求項４〜７のいずれか１項に記載の照明器具。
【考案の詳細な説明】
【技術分野】
【０００１】
本考案は、照明器具に関するものである。
【背景技術】
【０００２】
従来、この種のものとして筐体の上面中央部に配設され、地震等の振動を検出して一連のトリガ信号を出力する、略半球形の地震センサーと、上記地震センサーをカバーし、かつ保護する上部透明カバーと、地震センサーから最初のトリガ信号を受け取った時点で振動検出状態即ち論理１状態となり、その後は引き続きその状態を保持すると共に、論理１信号を出力し続ける振動検出状態保持回路と、上記振動検出状態保持回路から論理１信号が与えられと、その立ち上り時点で瞬時的に点弧電圧を発生し、その後は継続的に点灯電流を発生する蛍光管駆動回路と、上記蛍光管駆動回路によって駆動される蛍光管と、１対のソケットと、筐体とから成る蛍光灯部とからなる地震センサー付照明装置が公知である（例えば、特許文献１）。
【特許文献１】特開平８−２８７７０１号公報
【考案の開示】
【考案が解決しようとする課題】
【０００３】
しかし、従来技術においては蛍光灯部による照明なので消費電力が比較的大きく、限られた電池などの電力では比較的長時間照明を行なうことができないという問題がある。
【０００４】
解決しようとする問題点は、消費電力の少ない照明器具を提供する点である。また、地震報知を確実に知らせることができる照明器具を提供する点である。
【課題を解決するための手段】
【０００５】
請求項１の考案は、照明灯と該照明灯の電源との間に震度センサーを備えた制御装置を設け、前記震度センサーに連動して前記照明灯を点灯させる照明器具において、前記照明灯をＬＥＤにより形成することを特徴とする照明器具である。
【０００６】
請求項２の考案は、前記電源を内蔵電池により形成することを特徴とする請求項１記載の照明器具である。
【０００７】
請求項３の考案は、前記電源を選択的に接続される前記内蔵電池及び商用電源としたことを特徴とする請求項２記載の照明器具である。
【０００８】
請求項４の考案は、前記制御装置に操作スイッチを備え、該操作スイッチは電灯電源オフ切り替え部、電灯電源オン切り替え部、及び前記震度センサーに連動して前記照明灯を点灯させる自動点灯切り替え部を備えることを特徴とする請求項１〜３のいずれか１項に記載の照明器具である。
【０００９】
請求項５の考案は、設置用ベースに前記震度センサーを設けると共に、前記ベースに立設した支柱を介して前記照明灯を設けたことを特徴とする請求項１〜４のいずれか１項に記載の照明器具である。
【００１０】
請求項６の考案は、前記制御装置に前記震度センサーに応動して前記照明灯を点滅、減光或いは増光させる光調節回路を設けたことを特徴とする照明器具である。
【００１１】
請求項７の考案は、前記制御装置に前記操作スイッチを自動点灯に設定すると前記照明灯が作動確認用点灯する作動確認用点灯回路を設けることを特徴とする請求項４記載の照明器具である。
【００１２】
請求項８の考案は、前記制御装置に前記照明灯が所定時間後に自動消灯する消し忘れ防止回路を設けることを特徴とする請求項４〜７のいずれか１項に記載の照明器具である。
【考案の効果】
【００１３】
請求項１の考案によれば、照明灯をＬＥＤとすることにより、照明に伴う消費電力の軽減を図り、非常時の照明を比較的長時間確保することができる。
【００１４】
請求項２の考案によれば、内蔵電池であっても比較的長時間点灯することができる。
【００１５】
請求項３の考案によれば、通常時には商用電源を使用し、非常時には内蔵電池を使用することができる。
【００１６】
請求項４の考案によれば、通常点灯や感震モードの待機消灯状態とすることができる。
【００１７】
請求項５の考案によれば、通常時には電気スタンドとして使用することができる。
【００１８】
請求項６の考案によれば、点滅、減光或いは増光等の光の変化によって地震などを確実に知らせることができる。
【００１９】
請求項７の考案によれば、感震モードの待機消灯状態を視認、確認することができ、安心してセットを行なうことができる。
【００２０】
請求項８の考案によれば、消し忘れを防止して電気のムダな消費を抑止することができる。
【考案を実施するための最良の形態】
【００２１】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２２】
図１〜図３は実施例１を示しており、照明器具は設置用ベース１に支柱２を立設し、この支柱２の上部にセード３を介して照明灯４を設けたものであり、前記設置用ベース１の上面には操作スイッチ５がやや突設して設けられている。さらに前記設置用ベース１の内部には制御装置６が設けられていると共に、設置用ベース１の内部には感振する震度センサー７、内蔵電池８が設けられている。そして、制御装置６には照明灯４、震度センサー７、内蔵電池８が接続され、さらに制御装置６には商用電源９となる電源コードがアダプター10を介して接続されている。そして、制御装置６には前記内蔵電池８及び商用電源９が選択的に接続されるように電源選択回路11が設けられている。この電源選択回路11においては、商用電源９が接続時には商用電源９が用いられ、商用電源９が非接続時或いは停電時には内蔵電池８が用いられるようになっている。
【００２３】
前記照明灯４は白色発光のＬＥＤ（発光ダイオード）を取り付け基板12に複数配置して形成されるものであって、このＬＥＤからなる照明灯４はセード３の開口部へ向けて配置されていると共に、該開口部に透明版13がリング状取り付けカバー14を介して取り付けられている。
【００２４】
前記震度センサー７は設置用ベース１の底板15上に固定されており、また内蔵電池８は底板15に着脱自在に設けた蓋板16上に収容されるようになっている。また、前記操作スイッチ５は、３位置切り替え形であり、連続断電状態とする電灯電源オフ切り替え部５Ａ、連続電灯を点灯させる電灯電源オン切り替え部５Ｂ、及び地震時に震度センサ７ーが感震することで該震度センサー７に連動して前記照明灯４を点灯させる自動点灯切り替え部５Ｃを有する。
【００２５】
次に前記構成についてその作用を説明する。操作スイッチ５を操作して電源オフ切り替え部５Ａより自動点灯切り替え部５Ｃに切り替えると、感震モードの待機状態となって消灯する。そして、地震があると、震度センサー７の感震作動により照明灯４は点灯する。
【００２６】
一方、操作スイッチ５を操作して電源オフ切り替え部５Ａより電源オン切り替え部５Ｂに作動すると、照明灯４は通常点灯する。そして、自動点灯切り替え部５Ｃ又は電源オンの切り替え部５Ｂより電源オフ切り替え部５Ａに切り替えると照明灯４は消灯する。
【００２７】
以上のように、前記実施例では請求項１に対応して、照明灯４と該照明灯４の電源８，９との間に震度センサー７を備えた制御装置６を設け、前記震度センサー７に連動して照明灯４を点灯させる照明器具において、前記照明灯４をＬＥＤにより形成することにより、照明に伴う消費電力の軽減を図り、非常時の照明を比較的長時間確保することができる。
【００２８】
また、前記実施例では請求項２に対応して、電源を内蔵電池８としても照明灯４がＬＥＤにより形成されているので、消費電力が少なく比較的長時間点灯することができる。
【００２９】
さらに、前記実施例では請求項３に対応して、照明灯４の電源を選択的に接続される前記内蔵電池８及び商用電源９としたことで、通常時には商用電源９を使用し、非常時には内蔵電池８を使用することができる。
【００３０】
また、前記実施例では請求項４に対応して、前記制御装置６に操作スイッチ５を備え、該操作スイッチ５は電灯電源オフ切り替え部５Ａ、電灯電源オン切り替え部５Ｂ、及び部前記震度センサー７に連動して前記照明灯４を点灯させる自動点灯切り替え部５Ｃを備えることで、通常点灯や感震モードの待機消灯状態とすることができる。
【００３１】
さらに、前記実施例では請求項５に対応して、設置用ベース１に前記震度センサー７を設けると共に、前記ベース１に立設した支柱２を介して前記照明灯４を設けたことで、通常時には電気スタンドとして使用することができる。
【実施例２】
【００３２】
図４〜５は実施例２を示しており、前記実施例１と同一部分には同一符号を付し、その詳細な説明を省略する。
【００３３】
制御装置６について説明する。操作スイッチ５をオンに設定する、すなわち電灯電源オンの切り替え部５Ｂが作動するとタイマー回路20により前記照明灯４が所定時間後、例えば３０分後に自動消灯する消し忘れ防止回路17を設ける。また、制御装置６には前記操作スイッチ５を自動点灯に設定して自動点灯切り替え部５Ｃを作動させると前記照明灯４が、例えば１０秒間作動確認用点灯する作動確認用点灯回路18を設ける。尚、この際においても、照明灯はタイマー回路20により前記照明灯４が所定時間後、例えば３０分後に自動消灯するようになっており、自動消灯後においては再び感震モードの待機状態となる。さらに前記制御装置６には前記震度センサー７に応動して前記照明灯４を光調節回路19たる増光調節回路を設けている。この光調節回路19により図５（Ａ）に示す通常照明時よりも明るい照明ができるようになっている（図５（Ｂ））。尚、光調節回路19としては、図５（Ｃ）に示すように図５（Ａ）に示す通常照明時よりも暗い照明としたり、図５（Ｃ）に示すように点滅を行なうようにしてもよいようになっている。
【００３４】
次に前記構成についてその作用を説明する。操作スイッチ５を操作して電源オフ切り替え部５Ａより自動点灯切り替え部５Ｃに切り替えると、作動確認用点灯回路18により照明灯４は１０秒間点灯し、その後感震モードの待機状態となって消灯する。そして、地震があると、震度センサー７の感震作動により照明灯４は点灯する。このまま点灯し続けた場合には、タイマー回路20により照明灯４が所定時間後、例えば３０分後に自動消灯する。
【００３５】
一方、操作スイッチ５を操作して電源オフ切り替え部５Ａより電源オン切り替え部５Ｂに作動すると、照明灯４は通常点灯する。そして、自動点灯切り替え部５Ｃ又は電源オン切り替え部５Ｂより電源オフ切り替え部５Ａに切り替えると照明灯４は消灯する。
【００３６】
以上のように、前記実施例では請求項６に対応して、前記制御装置６には前記震度センサー７に応動して前記照明灯４を点滅、減光或いは増光させる光調節回路19を設けたことにより、通常点灯と異ならせて地震などを光の変化で知らせることができる。
【００３７】
また、前記実施例では請求項７に対応して前記制御装置６に前記操作スイッチ５を自動点灯に設定すると前記照明灯４が作動確認用点灯する作動確認用点灯回路18を設けることで、感震モードの待機消灯状態を確認することができ、安心してセットを行なうことができる。
【００３８】
また、前記実施例では請求項８に対応して、前記制御装置６に前記操作スイッチ５をオンに設定すると前記照明灯４が所定時間後に自動消灯する消し忘れ防止回路17を設けることで、電気のムダな消費を抑止することができる。
【産業上の利用可能性】
【００３９】
以上のように本考案にかかる、照明器具の用途にも適用できる。
【図面の簡単な説明】
【００４０】
【図１】本考案の実施例１を示す全体の分解斜視図である。
【図２】本考案の実施例１を示す分解斜視図である。
【図３】本考案の実施例１を示す制御装置のブロック図である。
【図４】本考案の実施例２を示す制御装置のブロック図である。
【図５】本考案の実施例２を示すタイムチャートである。
【符号の説明】
【００４１】
１  設置用ベース
２  支柱
４  照明灯
５  操作スイッチ
７  震度センサー
８  内蔵電池（電源）
９  商用電源
17  消し忘れ防止回路
18  作動確認用点灯回路
19  光調節回路
【図１】
0003108695.tif 000003
【図２】
0003108695.tif 000004
【図３】
0003108695.tif 000005
【図４】
0003108695.tif 000006
【図５】
0003108695.tif 000007